(57)【要約】      （修正有）【課題】光エネルギーを電気エネルギーに転換し、ブレードユニットを作動させて使用し、省エネと環境保護の効果を備えるソーラーエネルギー髭剃りシェーバーを提供する。【解決手段】ソーラーエネルギー髭剃りシェーバーは、本体１上に少なくとも１個のソーラーパネル２を設置し、エネルギー貯蔵装置３を利用し、ソーラーパネル２が産出した電気エネルギーを蓄え、スイッチ部品１２が、本体１上に設置したブレードユニット１１とエネルギー貯蔵装置３の回路を、通電状態に切り換えると、本体１上のブレードユニット１１は運転を開始し髭剃りを行う。この構成により、ソーラーエネルギーを電力ソースとすることで省エネ効果を備えるばかりか、屋外でのキャンプ或いは旅行中も、ソーラーエネルギー髭剃りシェーバーを利用して、髭を剃り、清潔感を保つことができ、廃棄電池も発生しないため、環境汚染を防ぐことができる。【選択図】図１
0003176674.tif 000002
【実用新案登録請求の範囲】
【請求項１】
ソーラーエネルギー髭剃りシェーバーは、本体、少なくとも１個のソーラーパネル、エネルギー貯蔵装置、スイッチ部品からなり、
該本体の頂点端には、少なくとも１個のブレードユニットを設置し、髭剃りに用い、
該少なくとも１個のソーラーパネルは、該本体上に設置し、光エネルギーを吸収し、電気エネルギーに転換し、
該エネルギー貯蔵装置は、該ソーラーパネルに電気的に連接し、該ソーラーパネルが産出した電気エネルギーを蓄電し、しかも該ブレードユニットに電気的に連接し、電気エネルギーを、該ブレードユニットに提供し、使用し、  
該スイッチ部品は、該本体上に設置し、該エネルギー貯蔵装置に電気的に連接し、該ブレードユニットのオン或いはオフを切り換えることを特徴とするソーラーエネルギー髭剃りシェーバー。
【請求項２】
前記本体には、該エネルギー貯蔵装置と電気的に連接する発光表示装置を設置し、
該スイッチ部品を利用して、該発光表示装置のオン或いはオフを切り換えることを特徴とする請求項１に記載のソーラーエネルギー髭剃りシェーバー。
【請求項３】
前記発光表示装置は、発光ダイオードであることを特徴とする請求項１に記載のソーラーエネルギー髭剃りシェーバー。
【請求項４】
前記本体上にはさらに、外付け充電極を設置し、これに外付け変圧器を連接して充電使用し、
該外付け充電極は、該エネルギー貯蔵装置に電気的に連接し、市内電源の電気エネルギーを、該変圧器を経て転換し、該エネルギー貯蔵装置中に蓄電することを特徴とする請求項１に記載のソーラーエネルギー髭剃りシェーバー。
【考案の詳細な説明】
【技術分野】
【０００１】
本考案はソーラーエネルギー髭剃りシェーバーに関し、特に、光エネルギーを電気エネルギーに転換し、ブレードユニットを作動させて使用し、省エネと環境保護の効果を備えるソーラーエネルギーを用いた髭剃りシェーバーに関する。
【背景技術】
【０００２】
地球温室効果の主因は、二酸化炭素の排出にある。更に詳しくは、二酸化炭素は主に石炭、石油等の化石燃料を燃やすことで発生する。現在台湾では、火力発電による電力が、総発電量の七割を占める。そのため、電力の浪費は温室効果ガスの無駄な排出につながる。つまり、二酸化炭素排出削減は、日々の省エネから行う必要があるのである。
【０００３】
ソーラーエネルギーを電気エネルギーに転換することで、無限に存在し、環境を汚染しない電力を得ることができ、省エネと環境保護の効果を達成することができる。そのため、日常生活の各領域におけるソーラーエネルギーの活用が、世界各国で積極的に進められている。
【０００４】
現在市販されている髭剃りシェーバーは、一般に、ニッケル水素電池、或いはリチウム電池等充電電池を使用し、市内電源により充電して電力を得ている。
しかし、上記したような電動髭剃りシェーバーを毎日使用するのでは、電気料金がかかるばかりか、プラグを使用した充電方式では、屋外でのキャンプ中、或いは旅行中において使用できない恐れがある。さらに、ニッケル水素電池、或いはリチウム電池等の充電電池は充電回数に限界があり、充電不能となった廃電池も環境汚染を引き起こす。
本考案は、従来のソーラーエネルギー髭剃りシェーバーの上記した欠点に鑑みてなされたものである。
【先行技術文献】
【特許文献】
【０００５】
【特許文献１】特開平１０−１２７９６０号公報
【考案の概要】
【考案が解決しようとする課題】
【０００６】
本考案が解決しようとする課題は、ソーラーパネルを利用し、光エネルギーを電気エネルギーに転換させ、ブレードユニットを作動させて使用し、省エネと環境保護の効果を達成することができるソーラーエネルギー髭剃りシェーバーを提供することである。
【課題を解決するための手段】
【０００７】
上記課題を解決するため、本考案は下記のソーラーエネルギー髭剃りシェーバーを提供する。
ソーラーエネルギー髭剃りシェーバーは、本体上に少なくとも１個のソーラーパネルを設置し、該本体内部に設置するエネルギー貯蔵装置は、ソーラーパネルに電気的に連接し、
こうして該ソーラーパネルが産出した電気エネルギーを貯蔵することができ、該エネルギー貯蔵装置は、該本体上のブレードユニットに電気的に連接し、該本体上に設置するスイッチ部品により、該エネルギー貯蔵装置の該本体上のブレードユニットへの電流を、通電或いは断路に切り換えることで、該ブレードユニットと該エネルギー貯蔵装置との回路は通電状態を呈し、ブレードユニットは運転を開始し髭を剃ることができ、
これにより、ソーラーエネルギーを電力ソースとして利用することで、屋外でのキャンプ、或いは旅行中も、ソーラーエネルギー髭剃りシェーバーを利用して、髭を剃り、清潔感を保つことができ、省エネ効果を備えるばかりか、廃棄電池も発生しないため、環境汚染を防ぐことができる。
【０００８】
本考案は、さらに該本体上に、発光表示装置を設置し、該エネルギー貯蔵装置に電気的に連接し、これにより該エネルギー貯蔵装置内の電気エネルギーを利用して発光させることができ、該発光表示装置と該エネルギー貯蔵装置の回路が通電状態を呈すると、発光表示装置は発光して照明を提供し、屋外でのキャンプ、或いは旅行中も、別に懐中電灯を携帯する必要がなく、面倒を回避でき、
本考案はさらに該本体上に、該エネルギー貯蔵装置に電気的に連接する外付け充電極を設置し、これにより、外付け変圧器を連接して充電することができ、光エネルギーを利用して電気エネルギーに転換できない時には、市内電源を利用して該エネルギー貯蔵装置に蓄電することができ、該ブレードユニット或いは該発光表示装置の作動に必要な電気エネルギーを提供することができる。
【考案の効果】
【０００９】
本考案のソーラーエネルギー髭剃りシェーバーは、ソーラーパネルを利用し、光エネルギーを電気エネルギーに転換させ、ブレードユニットを作動させて使用し、省エネと環境保護の効果を達成することができる。
【図面の簡単な説明】
【００１０】
【図１】本考案実施例の断面図である。
【図２】本考案実施例の外観立体図である。
【考案を実施するための形態】
【００１１】
以下に図面を参照しながら、本考案を実施するための最良の形態について詳細に説明する。
【実施例】
【００１２】
図１、２に示すように、本考案のソーラーエネルギー髭剃りシェーバーは、本体１、少なくとも１個のソーラーパネル２、エネルギー貯蔵装置３、スイッチ部品１２からなる。
【００１３】
該本体１の頂点端には、少なくとも１個のブレードユニット１１を設置し、髭剃り用に用いる。該少なくとも１個のソーラーパネル２は、該本体１上に設置し、光エネルギーを吸収し、電気エネルギーに転換する。
該ソーラーパネル２は、薄膜ソーラーパネル、或いはフレキシブル材質のソーラーパネルを使用する。
これにより、該本体１の表面を平均に取り囲むことができ、使用において、光の受け取りが不均一になるという問題が考慮不要となる。
【００１４】
該エネルギー貯蔵装置３は、該本体１内部に設置し、該ソーラーパネル２及び該ブレードユニット１１に電気的に連接する。こうして、該ソーラーパネル２が産出した電気エネルギーを貯蔵することができる。
【００１５】
該ソーラーパネル２が、光エネルギーを吸収すると、光電効果を生じ、該ソーラーパネル２は光子を吸収して自由電子を触発する。
こうして、光エネルギーを電気エネルギーに転換させ、該エネルギー貯蔵装置３に蓄電する。さらに、光エネルギーがない時にも、電気エネルギーを本体１のブレードユニット１１に提供し、使用することができる。
【００１６】
該スイッチ部品１２は、該本体１上に設置し、エネルギー貯蔵装置３に電気的に連接する。
これにより、該エネルギー貯蔵装置３の、該ブレードユニット１１への電流通電或いは断路を切り換えることができる。
【００１７】
スイッチ部品１２を、第一位置１２１へと切り換えた時には、エネルギー貯蔵装置３とブレードユニット１１は、断路状態となる。該スイッチ部品１２を、第二位置１２２へと切り替えた時には、エネルギー貯蔵装置３とブレードユニット１１との回路は通電状態を呈し、これにより該本体１上のブレードユニット１１は運転を開始し、髭を剃ることができる。
【００１８】
本考案は、さらに該本体１上に、該エネルギー貯蔵装置３に電気的に連接する発光表示装置４を設置する。
これにより、該エネルギー貯蔵装置３内の電気エネルギーを利用し発光させることができる。
【００１９】
該発光表示装置４は、発光ダイオードにより組成する。前記スイッチ部品１２を利用し、該エネルギー貯蔵装置３の発光表示装置４への電流通電或いは断路を切り換えることができる。
【００２０】
該スイッチ部品１２を、第三位置１２３へと切り換えた時には、該発光表示装置４と該エネルギー貯蔵装置３との回路は通電状態を呈し、該発光表示装置４は触発されて発光し照明を提供する。該スイッチ部品１２を、第一位置１２１へと切り換えた時には、該エネルギー貯蔵装置３と該発光表示装置４とは、断路状態となる。
【００２１】
本考案は、さらに該本体１上に、外付け充電極５を設置し、これに外付け変圧器（図示なし）を連接し、充電使用することができる。しかも、外付け充電極５は、該エネルギー貯蔵装置３に電気的に連接する。
これにより、光エネルギーを利用して電気エネルギーに転換することができない時にも、市内電源を利用し該エネルギー貯蔵装置３に蓄電することができる。
こうして、該ブレードユニット１１或いは該発光表示装置４に必要な電気エネルギーを供給する。
【００２２】
上記の実施例の説明により明らかなように、従来の技術と比較すると、本考案は以下の長所を備える。
１．本考案のソーラーエネルギー髭剃りシェーバーは、市内電源によりバッテリーに充電し電力ソースとする従来の技術とは異なり、ソーラーエネルギーを電力ソースとするため、屋外でのキャンプ、或いは旅行中も、髭剃りができ清潔感を保つことができ、しかも同時に発光照明の機能を備えることができるため、別に懐中電灯を携帯する必要がなく、面倒を除くことができる。
【００２３】
２．本考案のソーラーエネルギー髭剃りシェーバーは、光エネルギーを転換し電気エネルギーを産出するため、省エネ効果が高く、廃棄電池も発生しないため、環境汚染を防ぐことができる。
【００２４】
３．本考案のソーラーエネルギー髭剃りシェーバーは、外付け充電極を利用し、市内電源をエネルギー貯蔵装置中に充電することができるため、光エネルギーを利用し電気エネルギーに転換できない時にも、ブレードユニット或いは発光表示装置を使用することができる。
【００２５】
上記の本考案名称と内容は、本考案技術内容の説明に用いたのみで、本考案を限定するものではない。本考案の精神に基づく等価応用或いは部品（構造）の転換、置換、数量の増減はすべて、本考案の保護範囲に含むものとする。
【産業上の利用可能性】
【００２６】
本考案は実用新案登録の要件である新規性を備え、従来の同類製品に比べ十分な進歩を有し、実用性が高く、社会のニーズに合致しており、産業上の利用価値は非常に大きい。
【符号の説明】
【００２７】
１  本体
１１  ブレードユニット
１２  スイッチ部品
１２２  第二位置
１２１  第一位置
１２３  第三位置
２  ソーラーパネル
３  エネルギー貯蔵装置
４  発光表示装置
５  外付け充電極
【図１】
0003176674.tif 000003
【図２】
0003176674.tif 000004